(57)【要約】【課題】入力電源電圧に高調波が発生した時の炊飯器の適正な電力制御システムを提供する。【解決手段】内鍋と、この内鍋を取り出し可能に収容する炊飯器本体と、該炊飯器本体の上部開口を開閉自在に覆蓋する蓋体と、上記内鍋を加熱する電磁誘導加熱式の炊飯加熱手段と、上記炊飯加熱手段に電源を供給する電源回路の入力電流を検出する入力電流検出手段と、上記電源回路の入力電圧を検出する入力電圧検出手段と、上記入力電流検出手段により検出される入力電流を可変することにより所定の出力が得られるように上記炊飯加熱手段に供給する電力を制御する炊飯制御手段とを備えてなる電気炊飯器において、上記入力電圧検出手段により検出された入力電圧の周波数を判定する周波数判定手段を設け、該周波数判定回路により判定された入力電源電圧の周波数が所定の基準値以上であるか否かに基いて高調波の有無を検出するようにし、それに対応して適切に電力制御を行うようにした。【選択図】        図３
2010005284.tif 000002
【特許請求の範囲】
【請求項１】
内鍋と、この内鍋を取り出し可能に収容する炊飯器本体と、該炊飯器本体の上部開口を開閉自在に覆蓋する蓋体と、上記内鍋を加熱する電磁誘導加熱式の炊飯加熱手段と、上記炊飯加熱手段に電源を供給する電源回路の入力電流を検出する入力電流検出手段と、上記電源回路の入力電圧を検出する入力電圧検出手段と、上記入力電流検出手段により検出される入力電流と上記入力電圧検出手段により検出される入力電圧により所定の加熱出力が得られるように上記炊飯加熱手段に供給する電力を制御する電力制御手段とを備えてなる電気炊飯器において、上記入力電圧検出手段により検出された入力電圧の周波数を判定する周波数判定手段を設け、該周波数判定手段により判定された上記入力電圧の周波数が所定の基準値以上であるか否かに基いて高調波の有無を検出し、それに対応して電力制御を行うようにしたことを特徴とする電気炊飯器。
【請求項２】
高調波が検出された場合には、今回の入力電圧検出値に変えて前回の入力電圧検出値に基いて電力制御を行うようにしたことを特徴とする請求項１又は２記載の電気炊飯器。
【請求項３】
高調波が検出されなかった場合には、今回検出された入力電圧検出値に基いて電力制御を行うようにしたことを特徴とする請求項１又は２記載の電気炊飯器。
【請求項４】
高調波が検出された場合、その検出継続時間を判定し、同検出継続時間が所定の基準時間以上に長い場合には、電力制御を停止するようにしたことを特徴とする請求項１，２又は３記載の電気炊飯器。
【発明の詳細な説明】
【技術分野】
【０００１】
本願発明は、電磁誘導加熱式の電気炊飯器の電力制御に関するものである。
【背景技術】
【０００２】
最近の電気炊飯器では、高出力で加熱効率が高く、出力制御の応答性も高いために、早く、かつ美味しい御飯を炊き上げることができることから、内鍋（飯器）自体を金属材料で形成するとともに、その炊飯加熱手段として、電磁誘導によって当該内鍋内に渦電流を誘起させて自己発熱させるワークコイル等の電磁誘導加熱手段を採用した電磁誘導加熱式のものが多くなっている（特許文献１を参照）。
【０００３】
また、このような電磁誘導式加熱手段を採用した電気炊飯器において、ご飯の炊き上がりをより良好ならしめるために、上記従来の金属材料よりなる内鍋に替えて、さらにセラミック等の非金属材料よりなる内鍋（いわゆる土鍋）なども使用されるようになっている（特許文献２を参照）。
【０００４】
後者の場合、内鍋自体が電磁誘導によっては発熱しないために、例えば内鍋の外周面に電磁誘導効率の高い金属製の誘導発熱体を配設する一方、この誘導発熱体を上記ワークコイル等の電磁誘導加熱手段によって誘導加熱することにより、内鍋を加熱する加熱構造が採用されている（特許文献３を参照）。
【０００５】
【特許文献１】特開２００４−２０１８０４号公報
【特許文献２】実用新案登録第３１１００３８号公報
【特許文献３】特願２００６−１１３２８５号
【発明の開示】
【発明が解決しようとする課題】
【０００６】
ところで、これら特許文献に示される従来の電気炊飯器では、電源回路の入力電流を検出する入力電流検出手段と電源回路の入力電圧を検出する入力電圧検出手段とを備え、それら各検出手段によって検出された入力電流と入力電圧とに基いてワークコイルに供給する電力をフィードバック制御するようになっている。
【０００７】
特に入力電圧検出手段は、入力電源電圧のピーク値を検出することにより、電力値を制御するようになっている。
【０００８】
ところが、この入力電源電圧のピーク値Ｐは、周囲にある各種電気機器（エアコン、冷蔵庫、電子レンジ、ＩＨ調理器、パソコンなど）の影響で高調波による歪を生じ、例えば図４の（ａ）〜（ｃ）に示すように、ピーク値が変動する（Ｐ→Ｐ′）。その結果、制御される電力値も変動し、変動値が大きい場合には適正な炊飯を行うことができない。
【０００９】
本願発明は、このような問題を解決するためになされたもので、入力電圧の周波数の変化から高調波の有無を検出し、その検出結果に応じて制御の方法を変えることにより、高調波の影響を受けないようにした電気炊飯器を提供することを目的とするものである。
【課題を解決するための手段】
【００１０】
本願発明は、同目的を達成するために、次のような課題解決手段を備えて構成されている。
【００１１】
（１）  請求項１の発明
この発明の電気炊飯器は、内鍋と、この内鍋を取り出し可能に収容する炊飯器本体と、該炊飯器本体の上部開口を開閉自在に覆蓋する蓋体と、上記内鍋を加熱する電磁誘導加熱式の炊飯加熱手段と、上記炊飯加熱手段に電源を供給する電源回路の入力電流を検出する入力電流検出手段と、上記電源回路の入力電圧を検出する入力電圧検出手段と、上記入力電流検出手段により検出される入力電流と上記入力電圧検出手段により検出される入力電圧により所定の加熱出力が得られるように上記炊飯加熱手段に供給する電力を制御する電力制御手段とを備えてなる電気炊飯器において、上記入力電圧検出手段により検出された入力電圧の周波数を判定する周波数判定手段を設け、該周波数判定手段により判定された上記入力電圧の周波数が所定の基準値以上であるか否かに基いて高調波の有無を検出し、それに対応して電力制御を行うようにしたことを特徴としている。
【００１２】
このような構成によると、本来の電源周波数（５０／６０Ｈｚ）を基準として、検出された入力電圧の周波数が、その整数倍の周波数であれば、高調波成分が含まれていると容易に判定することができ、それに対応して誤った制御を回避する適切な電力値での制御を行うことができるようになる。
【００１３】
したがって、電力歪の影響を回避して、可能な限り適切な炊飯を行うことができるようになる。
【００１４】
しかも、電源の周波数の高低を判定するだけで良いから、従来一般の汎用マイコンで十分に対応することができる。
【００１５】
（２）  請求項２の発明
この発明の電気炊飯器は、上記請求項１の発明において、高調波が検出された場合には、今回の入力電圧検出値に変えて前回の入力電圧検出値に基いて電力制御を行うようにしたことを特徴としている。
【００１６】
このような構成によると、高調波成分の影響を受けることなく、常に安定した電力制御を行うことができるようになり、高調波が発生している時にも、可及的に適切な炊飯機能を維持することができる。
【００１７】
（３）  請求項３の発明
この発明の電気炊飯器は、上記請求項１又は２の発明において、高調波が検出されなかった場合には、今回検出された入力電圧検出値に基いて電力制御を行うようにしたことを特徴としている。
【００１８】
以上のような構成を採用した場合にも、もちろん高調波が発生していない時には、本来の入力電圧検出値に基いた電力制御が行われる。
【００１９】
（４）  請求項４の発明
この発明の電気炊飯器は、上記請求項１，２又は３の発明において、高調波が検出された場合、その検出継続時間を判定し、同検出継続時間が所定の基準時間以上に長い場合には、電力制御を停止するようにしたことを特徴としている。
【００２０】
このように、高調波入力が所定時間以上継続する電源異常の場合には、適正な炊飯が不可能であると判断して、電力制御、すなわち炊飯制御自体を停止して待機状態に復帰させる。
【００２１】
それにより無駄な炊飯動作を回避する。
【発明の効果】
【００２２】
以上の結果、本願発明の電気炊飯器によると、長時間高調波が入力される特別な場合以外は、略常に適切な炊飯が可能となり、炊飯器としての信頼性が向上する。
【発明を実施するための最良の形態】
【００２３】
図１〜図３は、本願発明の最良の実施の形態に係る電気炊飯器の炊飯器本体および要部の構成を示している。
【００２４】
（全体の構成）
この電気炊飯器でも、前述の従来例と同様に、例えば内鍋（飯器ないし保温容器）３として非金属材料からなる鍋（例えば、セラミック製の土鍋）が一例として採用されており、その底壁部３ａの底部中央面（フラット面）および該底壁部３ａ外周の湾曲面部（Ｒ面部）には、それぞれ内部に誘起されるうず電流によって自己発熱が可能な銀ペースト等の金属製の第１，第２の誘導発熱体Ｇ1，Ｇ2が設けられている。
【００２５】
そして、この電気炊飯器は、同構成の内鍋３と、該内鍋３を任意に収納セットし得るように形成された下部側合成樹脂製の皿状の底壁部４および上部側筒状の側壁部６よりなる内ケース４６と、該内ケース４６を保持する外部筺体である有底筒状の外ケース１ａと、該外ケース１ａと上記内ケース４６とを一体化して形成された炊飯器本体１の上部に開閉可能に設けられた蓋ユニット２とから構成されている。
【００２６】
外ケース１ａの前面部上方には、操作パネル部２０が設けられている。そして、該操作パネル部２０面には、例えば十分に広く大きな表示面積をもつ液晶表示部２１と炊飯スイッチ、タイマー予約スイッチ、取消スイッチ、保温スイッチ、再加熱スイッチ、メニュー選択スイッチ、時スイッチ、分スイッチ等の各種入力スイッチ（タッチキースイッチ）が設けられている。
【００２７】
また、該外ケース１ａ内の上記操作パネル部２０の内側部分（裏側空間）には、略制御基板Ｂ1の上端位置から斜め前方に下降する格好で、マイコン基板Ｂ2（および音声基板１９）がマイコン基板カバー１８を介して傾斜設置されている。
【００２８】
一方、内ケース４６の底壁部４の下方側には、フェライトコア収納部を備えたコイルカバー（コイル台）４０が設けられ、その下部にはフェライトコア（符号省略）を配置し、またそれらの間には、上記内鍋３の底壁部３ａの中央部側フラット面と外周部側湾曲面の上記第１，第２の２組の誘導発熱体Ｇ1，Ｇ2位置に対応して各々リッツ線が同心状に巻成された第１，第２の２組のワークコイルＣ1，Ｃ2が設けられており、それらへの通電時には上記内鍋３の上記第１，第２の誘導発熱体Ｇ1，Ｇ2にうず電流を誘起して、上記内鍋３を加熱するようになっている。
【００２９】
上記内ケース４６（およびコイルカバー４０）の前方部側には、上記ワークコイルＣ1，Ｃ2、保温ヒータＨ1等を駆動制御するＩＧＢＴやヒータ駆動回路、電源電圧整流用のダイオードブリッジよりなる整流回路、平滑回路などを備えた制御基板Ｂ1および制御基板カバー２５が上下立設状態で設けられている。
【００３０】
上記内ケース４６の皿状の底壁部４は、その底面部４ａの中央部にサーミスタＳ1を内装したセンターセンサーＣＳのセンサー部嵌合口４ｆが形成されているとともに、同センサー部嵌合口４ｆの外周側上面にはドーナツ状の遮熱板３０が設けられている。また、外周側湾曲面部４ｂの上端側には、所定幅半径方向外方に張り出したフランジ状の段部４ｃが設けられ、この段部４ｃ部分に上記上部側筒状の側壁部６の下端６ａ側が係合載置されている。
【００３１】
他方、同上部側筒状の側壁部６の上端６ｂは、図示しない内枠部材を介して上記炊飯器本体１側外ケース１ａ上端の肩部材１１側に連結して固定されている。
【００３２】
また、上記内ケース４６の上部側筒状の側壁部６の外周には、炊飯および保温時において加熱手段として機能する保温ヒータＨ1が設けられており、炊飯時および保温時において上記内鍋３の全体を有効かつ均一に加熱するようになっている。
【００３３】
そして、上記内ケース４６の下部側底壁部４の底面部４ａとコイルカバー４０の底壁部４０ａとの間には、その前部側から後部側に到る冷却用の通風路が形成されている。
【００３４】
すなわち、上記内ケース４６の底壁部４の底面部４ａの下面部外周には、図示はしないが、円弧状の薄肉の筒状壁（薄肉リブ）が周方向に沿って立設されており、その前部と後部には、筒壁のない切欠部が設けられているとともに、それらの間には、例えば平面三角形状の複数の台状リブが所望の間隔で所望の位置、かつ所望の方向に散在するように設けられている。
【００３５】
また、これも図示はしていないが、上記コイルカバー４０の底壁部４０ａの上面部外周には、上記内ケース４６の底壁部４の底面部４ａの下面側筒状壁に対応した同様の円弧状の薄肉の第１の筒状壁（薄肉リブ）が上方に向けて立設されているとともに、それらの間には、平面三角形状の複数の台状リブが上記内ケース４６の底壁部４の台状のリブと対称な位置関係で散在するように設けられている。
【００３６】
さらに、このコイルカバー４０の場合、上記第１の筒状壁よりも所定幅半径方向外方に位置する上記底壁部４０ａ外周縁の上記後部側切欠部に対向する半径方向位置には、当該後部側切欠部の開口部の円弧角幅よりも十分に大きな円弧角幅の薄肉の第２の筒状壁（薄肉リブ）が上方に向けて立設されている。
【００３７】
これら内ケース４６の底壁部４の筒状壁とコイルカバー４０の底壁部４０ａの第１の筒状壁とは、例えば内ケース４６の底壁部４に対して第１のワークコイルＣ1を介してコイルカバー４０を下方から嵌合した時に、相互に摺接した状態で嵌合し合って、第１のワークコイルＣ1の周囲を囲む略円形の通風空間を形成する。
【００３８】
また、この嵌合状態では、上記第１のワークコイルＣ1の渦巻状の各線輪が、上記上下両側に位置して相互に対向する台状のリブ間に安定した状態で挟圧支持され、当該第１のワークコイルＣ1の上下に有効な通風スペースａ，ｂが形成される。
【００３９】
一方、このようにして筒状壁と第１の筒状壁との間に形成された第１のワークコイルＣ1を囲む通風路は、上記前部側切欠部の対向部部分が冷却風の流入口部となる一方、上記後部側切欠部の対向部部分が冷却風の吹出口部分となる。
【００４０】
そして、同後部側の冷却風吹出口部分に対して、上記コイルカバー４０側外周縁の第２の筒状壁の内周面が同一水平面状に対応することになる。
【００４１】
他方、上述の前部側切欠部により形成される冷却風の導入口部には、斜め円弧状に大きく開口された偏平な角形の冷却風分流ダクト２６が左右両側の連接壁を介して連接されており、該冷却風分流ダクト２６を介して上記炊飯器本体１の本体ケース１ａ内前方底部に設置されている電装品等冷却用のファン（短軸のプロペラファン）２３からの冷却風の一部を導入して上記第１のワークコイルＣ1側通風路の通風空間に流すようになっている。
【００４２】
この電装品等冷却用のファン２３は、その羽根車２３ａの直径の略１／２程度を、上記冷却風分流ダクト２６の下面側開口面に対応して設置されている一方、その他の１／２部分は、ＩＧＢＴ放熱冷却用のヒートシンク２４、制御基板Ｂ1、操作パネル部２０下方のマイコン基板Ｂ2等に対応して設置されている。
【００４３】
なお、符号２２は、上記外ケース１ａの底部に嵌合一体化された底部材（底カバー）１ｂの前部部分に設けられた冷却ファン２３の空気吸込口である。
【００４４】
（蓋ユニットの構成）
さらに蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内に嵌合された金属製の放熱板１６ａ（蓋ヒータは図示省略）と、該放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、１５ａは調圧パイプ１５内の調圧弁、１５ｂはその下部側キャップである。
【００４５】
この蓋ユニット２は、図示しない上記外ケース１上部の後端側で肩部材１１に対してヒンジ機構を介して回動自在に取付けられており、その開放端側には、該蓋ユニット２の所定位置に係合して該蓋ユニット２の上下方向への開閉を行うロック機構１０が設けられている。
【００４６】
（制御回路部分の構成）
次に、図２は、上述のように構成された炊飯器本体側の炊飯又は保温制御を行うマイコン制御ユニットを中心とする制御回路部分の構成を示している。
【００４７】
図２中、先ず符号３１は整流回路、３２はチョークコイル、３３は共振コンデンサ、３４は平滑コンデンサ、３５はＩＧＢＴ、３６はＩＧＢＴ駆動回路であり、これらによって周知のようなワークコイルＣ1，Ｃ2の駆動回路が形成されている。
【００４８】
一方、符号３９が炊飯又は保温制御用のマイコン制御ユニットであり、該マイコン制御ユニット３９には変流器ＣＴを介して検出された入力電流検出回路３７からの電源回路の入力電流Ｉと入力電圧検出回路３８により検出された電源回路の入力電圧Ｖとが入力されるようになっている。
【００４９】
マイコン制御ユニット３９は、周波数判定回路３９ａ、高調波検出回路３９ｂ、電圧値メモリ３９ｃ、タイマー３９ｄを有し、まず周波数判定回路３９ａによって上記入力電圧検出回路３８により検出された入力電圧Ｖｎの周波数を判定する一方、高調波検出回路３９ｂにより、上記周波数判定回路３９ａにより判定された上記入力電圧Ｖｎの周波数ｆｎが所定の基準値以上であるか否かに基いて高調波の有無を検出し、それに対応して高調波が検出された場合には、今回の入力電圧検出値Ｖｎに変えて電圧値メモリ３９ｃに記憶されている前回の入力電圧検出値Ｖｎ-1に基いて電力制御を行う。
【００５０】
他方、高調波が検出されなかった場合には、今回検出された入力電圧検出値Ｖｎに基いて電力制御を行うようになっている。
【００５１】
また、上述のように高調波が検出された場合には、タイマー３９ｄを作動させて、その検出継続時間ｔｎを判定し、同検出継続時間ｔｎが所定の基準時間ｔａ秒（例えばｔａ＝５秒）以上に長い場合には、電力制御を停止する。
【００５２】
そして、それによって無駄な炊飯動作の継続を回避する。
【００５３】
（電力制御方法）
今、そのような電力制御の具体的内容を図３のフローチャートに示す。
【００５４】
すなわち、同制御では、炊飯開始後（スタートスイッチＯＮ後）、上記入力電流検出回路３７により図２の電源回路への現在の入力電流値Ｉｎを検出する（ステップＳ1）。この入力電流値Ｉｎは、所定の電流値メモリ（ＲＡＭ）中に次回の検出値が入力されるまでメモリされる。
【００５５】
続いて、上記入力電圧検出回路３８により図２の電源回路の現在の入力電圧Ｖｎを検出する（ステップＳ2）。この検出値Ｖｎも所定の電流値メモリ（ＲＡＭ）中に次回の検出値が入力されるまでメモリされる。
【００５６】
そして、さらに同検出された電圧Ｖｎ中の直流成分を除去した上で（ハード的に対応・・・フィルタ等）、同入力電圧Ｖｎの周波数ｆｎの判定を行う（ステップＳ3）。
【００５７】
次に、該判定された周波数ｆｎが、例えば基本となる標準的な電源周波数（関東地区５０Ｈｚ／関西地区６０Ｈｚ）と対比してｎ倍（ｎは２以上の整数）以上であるか否かによって高調波の有無を判定し（ステップＳ4）、ｎ倍ではなく電源周波数に等しい高調波なしの場合（ＮＯ）には、上記検出時の電圧値メモリとは別の電力制御用の電圧値メモリ（制御設定値メモリ）３９ｃに当該入力電圧Ｖｎをメモリする（ステップＳ5）。そして、その上で上記入力電流Ｉｎとの積に基いてＩＧＢＴフィードバック制御のための目標電力値Ｗｎ（Ｗｎ＝Ｖｎ・Ｉｎ）を決定して、上記図２のＩＧＢＴ駆動回路３６のフィードバック制御を行う（ステップＳ6）。
【００５８】
他方、上記判定された入力電圧Ｖｎの周波数ｆｎが基準となる電源周波数の２倍以上の高調波周波数であった場合（ステップＳ4の判定でＹＥＳの場合）には、上記電力制御用の電圧値メモリ３９ｃにメモリされている前回（前の制御周期）の入力電圧値Ｖｎ-1を読み出し、これを今回の入力電圧値Ｖｎとして設定する（ステップＳ7）。
【００５９】
そして、それに対応して上記タイマー３９ｄを作動させて同高調波が検出される時間（継続時間）を計時する（ステップＳ8）。
【００６０】
次に、同タイマー３９ｄの計時時間ｔｎが５秒以上となったか否かを判定する（ステップＳ9）。
【００６１】
その結果がＮＯの５秒未満であった場合には、そのまま上述のステップＳ6に移って、上記前回の入力電圧値Ｖｎ-1と今回の入力電流Ｉｎとに基いて電力値を設定し、上述のＩＧＢＴ制御を行なう。
【００６２】
前回の入力電圧値Ｖｎ-1は、一応適正に制御が行われた適正な入力電圧値であるので適正な電力制御が行われる。
【００６３】
他方、上記高調波の検出継続時間ｔｎが５秒以上であったＹＥＳの場合には、適正な入力電圧値の設定ができず、適正な電力制御、適正な炊飯を行うことができないので、直ちに以上の電力制御を停止して、システムを待機状態に復帰させる（ステップＳ10）。
【００６４】
以上のような構成によると、本来の電源周波数（５０／６０Ｈｚ）を基準として、検出された入力電圧の周波数が、その整数倍（２以上）の周波数であれば、高調波成分が含まれていると容易に判定することができ、それに対応して誤った制御を回避する適切な電力値での制御を行うことができるようになる。
【００６５】
したがって、電力歪の影響を回避して、可能な限り適切な炊飯を行うことができるようになる。
【００６６】
しかも、電源の周波数の高低を判定するだけで良いから、従来一般の汎用マイコンで十分に対応することができる。
【００６７】
そして、同高調波が検出された場合の適正な電力の制御は、今回の入力電圧検出値に変えて前回の入力電圧検出値に基いて電力制御を行うようにしている。
【００６８】
このような構成によると、高調波成分の影響を受けることなく、常に安定した電力制御を行うことができるようになり、高調波が発生している時にも、可及的に適切な炊飯機能を維持することができる。
【００６９】
さらに、同高調波が検出された場合において、その検出継続時間をも判定し、同検出継続時間が所定の基準時間以上に長い場合には、電力制御を停止するようにしている。
【００７０】
このように、高調波入力が所定時間以上継続する電源異常の場合には、適正な炊飯が不可能であると判断して、電力制御、すなわち炊飯制御自体を停止して待機状態に復帰させる。それにより無駄な炊飯動作を回避する。
【００７１】
もちろん、以上の場合において、高調波が検出されなかった場合には、通常通り今回検出された入力電圧検出値に基いて電力制御を行う。
【００７２】
これらの結果、本願発明の電気炊飯器によると、長時間高調波が入力される特別な場合以外は、略常に適切な炊飯が可能となり、炊飯器としての信頼性が向上する。
【図面の簡単な説明】
【００７３】
【図１】本願発明の最良の実施の形態に係る電気炊飯器の炊飯器本体の構成を示す前後方向中央部での切断断面図である。
【図２】同電気炊飯器の制御回路の構成を示すブロック図である。
【図３】同電気炊飯器における図２の回路の制御動作を示すフローチャートである。
【図４】同電気炊飯器の一般的な入力電圧波形を示す波形図である。
【符号の説明】
【００７４】
Ｃ1，Ｃ2はワークコイル、Ｈ1は側面ヒータ、１は外ケース、２は蓋ユニット、３は内鍋、２０は操作パネル、２１は液晶表示部、３２はマイコン制御ユニット、３５はＩＧＢＴ、３６はＩＧＢＴ駆動回路、３７は入力電流検出回路、３８は入力電圧検出回路、３９はマイコン制御ユニットである。
【図１】
2010005284.tif 000003
【図２】
2010005284.tif 000004
【図３】
2010005284.tif 000005
【図４】
2010005284.tif 000006